(57)【要約】【課題】採光窓本体の枠体のコーナー部や周面の雨仕舞い性を良好にし、簡単に雨仕舞い施工することができる採光窓の雨仕舞い構造を提供するものである。【解決手段】屋根面１に矩形状の開口部２を形成し、この開口部２の周囲に木枠３を固着し、この木枠３の上に矩形状に形成された枠体４の内側段部５にガラスパネル６からなる採光窓本体７を載置し、このガラスパネル６の上部の周縁部をアルミニウムカバー８で押圧固定する採光窓の雨仕舞い構造において、アルミニウムカバー８及び枠体４の下面にブチル系シート９を介してビス１０でビス着して固定するものである。【選択図】        図１
2004225463.tif 000002
【特許請求の範囲】
【請求項１】
屋根面に矩形状の開口部を形成し、該開口部の周囲に木枠を固着し、該木枠上に枠体の内側段部にガラスパネルを設けた採光窓本体を載置し、このガラスパネル周縁部をアルミニウムカバーで押圧固定する採光窓の雨仕舞い構造において、アルミニウムカバー及び枠体の下面にブチル系シートを介してビス着することを特徴とする採光窓の雨仕舞い構造。
【請求項２】
木枠上に配設される枠体の上面にブチル系シートを載置するとともに不乾性パテ材をこのブチル系シート上に載置した状態で背面にレール状突起を設けたアルミニウムカバーを用いて押圧してビス着することを特徴とする請求項１記載の採光窓の雨仕舞い構造。
【請求項３】
上記不乾性パテ材がブチル系粘土であることを特徴とする請求項２記載の採光窓の雨仕舞い構造。
【請求項４】
上記採光窓本体の枠体の周面にブチル系シートを敷設するとともにコーナーピースを配設することを特徴とする請求項１乃至請求項３記載のいずれかに記載の採光窓の雨仕舞い構造。
【発明の詳細な説明】
【０００１】
【発明の属する技術分野】
本発明は、住宅の屋根面等に敷設する雨仕舞い性の良好な採光窓の雨仕舞い構造に関するものである。
【０００２】
【従来の技術】
従来から窓枠又は障子の框を構成する枠体に、パネル体を取付ける窓用パネル体の取付構造において、金属枠の押え片部とパネル体との間には、屋外側両面粘着テープが介在され、金属枠及びパネル体と木枠の当接面との間には、屋外側両面粘着テープが介在されているものがある。（例えば、特許文献１参照）
【０００３】
さらに、採光用天窓のパネル取付構造において、雨仕舞い性を良好にするためにゴムパッキングやガスケットを用いるものがある。
（例えば、特許文献２参照）
【０００４】
【特許文献１】
特開平７−１９７６１２号公報（第１−３頁、図１〜図４）
【０００５】
【特許文献２】
実開平５−７８７５２号公報（第１−３頁、図３）
【０００６】
このように、特許文献１のものでは、金属枠の押え片部とパネル体との間には、屋外側両面粘着テープが介在され、金属枠及びパネル体と木枠の当接面との間には、屋外側両面粘着テープが介在されているものがあるが、ビスを固着する位置に両面粘着テープが配置された構造とはなっていない。また、特許文献２にも、雨仕舞い性を良好にするためにゴムパッキングやガスケットを用いるものがあるが、乾式であるために、劣化して雨仕舞い性が悪化しやい。
【０００７】
【発明が解決しようとする課題】
本発明は上記問題点の解決を目的とするものであり、アルミニウムカバー及び枠体の下面にブチル系シートを介してビス着することで、採光窓のビス着部分の雨仕舞い性を良好にするとともに採光窓本体の枠体のコーナー部に不乾性パテ材を塗布したり、採光窓本体の枠体の周面に防水テープを敷設するとともにコーナーピースを配設することにより、採光窓本体の枠体のコーナー部や周面の雨仕舞い性を良好にすることのできるとともに簡単に雨仕舞い施工することができる採光窓の雨仕舞い構造を提供するものである。
【０００８】
【課題を解決するための手段】
本発明の請求項１記載の採光窓の雨仕舞い構造は、屋根面に矩形状の開口部を形成し、該開口部の周囲に木枠を固着し、該木枠上に枠体の内側段部にガラスパネルを設けた採光窓本体を載置し、このガラスパネル周縁部をアルミニウムカバーで押圧固定する採光窓の雨仕舞い構造において、アルミニウムカバー及び枠体の下面にブチル系シートを介してビス着することを特徴とするものである。
【０００９】
したがって、アルミニウムカバーや枠体にビス着してもブチル系シートによって簡単に敷設することができ、ビス着部分の雨仕舞い性を良好にすることができる。
【００１０】
本発明の請求項２記載の採光窓の雨仕舞い構造は、請求項１記載の木枠上に配設される枠体の上面にブチル系シートを載置するとともに不乾性パテ材をこのブチル系シート上に載置した状態で背面にレール状突起を設けたアルミニウムカバーを用いて押圧してビス着することを特徴とするものである。
【００１１】
したがって、不乾性パテ材をこのブチル系シート上に載置することで、不乾性パテ材が劣化したり、ガラスを割った時でもアルミニウムカバーを取外すことにより簡単に交換が可能となる。
【００１２】
本発明の請求項３記載の採光窓の雨仕舞い構造は、請求項２記載の不乾性パテ材がブチル系粘土であることを特徴とするものである。
【００１３】
したがって、採光窓本体のアルミニウムカバーをビスで固定することで、長期間、雨仕舞い性が良好となる。また、不乾性パテ材であるブチル系粘土が簡単に交換できる。
【００１４】
本発明の請求項４記載の採光窓の雨仕舞い構造は、請求項１乃至請求項３記載のいずれかに記載の採光窓本体の枠体の周面にブチル系シートを敷設するとともにコーナーピースを配設することを特徴とするものである。
【００１５】
したがって、ブチル系シートを簡単にしわもなく敷設することができ、雨仕舞い性が良好となる。
【００１６】
【発明の実施の形態】
図１乃至図９に示したように、本発明の実施形態に係わる採光窓の雨仕舞い構造であって、以下に説明する。
【００１７】
図１及び図２において、本発明の採光窓の雨仕舞い構造には、屋根面１に矩形状の開口部２を形成し、この開口部２の周囲に木枠３を固着し、この木枠３の上にアルミニウム、鋼鈑、合成樹脂等で縦断面逆Ｌ字状をしていて矩形状に形成された枠体４の内側段部５に複層ガラスを用いたガラスパネル６からなる採光窓本体７を載置し、このガラスパネル６の上部の周縁部をアルミニウムカバー８で押圧固定する採光窓の雨仕舞い構造において、アルミニウムカバー８及び枠体４の下面にブチル系シート９を逆Ｌ字状に折曲して、このアルミニウムカバー８及び枠体４間に介してビス１０でビス着して固定するものである。
【００１８】
尚、矩形状に形成された枠体４の外側段部１１には、この枠体４の上面と同一面としたアルミニウム等でできた中空の固定ブロック１２を載置し、この固定ブロック１２の上面にブチル系シート９が載置され、ビス１０で固定されている。
さらに、この固定ブロック１２の下部は、ビス１３で枠体４及び木枠３に固定されている。このとき、木枠３の上面にもブチル系シート９が屋根面１の野地板１４上に載置されたルーフィング（防水下地材）２６上に被装するように延出されている。
【００１９】
また、上記内側段部５及び外側段部１１を設けた縦断面形状で矩形状に形成された枠体４は、内側段部５及び外側段部１１を形成せず縦断面矩形状に形成して長ビス１０を用いて固着するようにしても良い。
【００２０】
さらにまた、ガラスパネル６の上部の周縁部を押圧固定するアルミニウムカバー８の外方には、溝部１５が設けられ、この溝部１５に雨よけ兼化粧性を高めるための化粧シート（図示せず）が垂設されている。このとき、このアルミニウムカバー８の内方には、パッキン１６を挿着する挿入溝１７が形成され、このパッキン１６でもって、ガラスパネル６の表面からの雨水の浸入を防止するように形成されている。
【００２１】
また、アルミニウムカバー８を固着するビス１０の頭部下方には、ゴムワッシャが固着されており、このアルミニウムカバー８の背面には、レール状突起１８が設けられ、固定ブロック１２上から前面に被装されているブチル系シート９をこのレール状突起１８で押圧して確実に雨仕舞い性が良好になるようにすればより効果的である。このとき、ブチル系シート９の上には粘着性のあるブチル系粘土１９を設置してからアルミニウムカバー８で固着するものである。このブチル系粘土１９を用いた不乾性パテ材２１は、このアルミニウムカバー８を取外すことにより、簡単に交換ができるものである。また、ガラスパネル６のガラスが破損した場合にも、ブチル系シート９と不乾性パテ材とを簡単に交換することで雨仕舞い性をよくすることができる。
【００２２】
さらに、ブチル系シート９にも粘性を附与するようにすることで、より雨仕舞い性が良好となる。これらの、採光窓の雨仕舞い構造は、水下側及び水上側でも同様に施工することが可能となる。
【００２３】
図３は、水上側の縦断面であって、木枠３の上に枠体４の内側段部５に複層ガラスを用いたガラスパネル６からなる採光窓本体７を載置し、このガラスパネル６の上部の周縁部をアルミニウムカバー８で押圧固定されるものである。これは前記水下側と同様にガラスパネル６上にブチル系シート９を載置して、このブチル系シート９の上をアルミニウムカバー８をビス１０で木枠３に固着するものである。
【００２４】
図４は、アルミニウムカバー８の端面を４５度に切断して突き合わせた裏面図であって、レール状突起１８を形成して、ブチル系粘土１９からなる不乾性パテ材２１をコーナー部２０や直線部分に塗布することにより、アルミニウムカバー８の裏面側での雨仕舞い性をより確実なものにすることができる。
【００２５】
図５乃至図９は、本実施例の防水テープ（ブチル系シート）の貼り付け構造を示す図で以下に説明する。
【００２６】
図５は、水下側の木枠３の上にアルミニウム、鋼鈑、合成樹脂等で縦断面逆Ｌ字状をしていて矩形状に形成された枠体４と複層ガラスを用いたガラスパネル６からなる採光窓本体７の木枠３の断面形状にブチル系シート９ａを切断して載置するようにしたものである。そして、このブチル系シート９ａの上にアルミニウム等でできた中空の固定ブロック１２をビスで固着して下方からの雨水の吹き上げによる浸入を防止するものである。
【００２７】
図６は、図５と同様にブチル系シート９ａの上に図７に示した金属製や合成樹脂製の水平片２２とこの下面の水平片２２より立設するＬ字状の垂直片２３とからなるコーナーピース２４を載置し、このコーナーピース２４の表面側を被装するように固定ブロック１２上にブチル系シート９ｂを固着し、さらにこのブチル系シート９ｂに積層させてブチル系シート９ｃをコーナーピース２４で押えつけることにより、しわもなく固着することができるものである。
【００２８】
このとき、大面積のブチル系シート９ｂ、９ｃを固着する前に図８に示したように、コーナーピース２４の表面側を被装するように小ピースの両面ブチルテープ２５ａ、２５ｂ、２５ｃを固着した後に、大面積のブチル系シート９ｂ、９ｃを固着するようにすればよりコーナー部２０の隙間がなくなり、風等による吹き上げによる雨仕舞いを良好とすることができる。
【００２９】
図９は、木枠３上の全体のブチル系シート９ａ、９ｂ、９ｃ及び水上側に配設するブチル系シート９ｄの敷設状態を示すものである。尚、水下側のコーナー部２０には、図８に示した小ピースの両面ブチルテープ２５ａ、２５ｂ、２５ｃが固着されている。そして、ブチル系シート９ａ、９ｂ、９ｃ及び９ｄを敷設した後でアルミニウムカバー８をビス着してビス周辺の止水効果を高めるようにしている。
【００３０】
特に、このような採光窓の高さの低い採光窓の雨仕舞い構造の雨仕舞い性を良好とすることができる。
【００３１】
【発明の効果】
上述の如く、本発明の請求項１記載の採光窓の雨仕舞い構造は、屋根面に矩形状の開口部を形成し、この開口部の周囲に木枠を固着し、この木枠上に枠体の内側段部にガラスパネルを設けた採光窓本体を載置し、このガラスパネル周縁部をアルミニウムカバーで押圧固定する採光窓の雨仕舞い構造において、アルミニウムカバー及び枠体の下面にブチル系シートを介してビス着しているので、アルミニウムカバーや枠体にビス着してもブチル系シートによって簡単に敷設することができ、ビス着部分の雨仕舞い性を良好にすることができる。
【００３２】
本発明の請求項２記載の採光窓の雨仕舞い構造は、木枠上に配設される枠体の上面にブチル系シートを載置するとともにブチル系粘土をこのブチル系シート上に載置した状態で背面にレール状突起を設けたアルミニウムカバーを用いて押圧してビス着しているので、不乾性パテ材をこのブチル系シート上に載置することで、ブチル系粘土が劣化したり、ガラスを割った時でもアルミニウムカバーを取外すことにより簡単に交換が可能となる。
【００３３】
本発明の請求項３記載の採光窓の雨仕舞い構造は、不乾性パテ材がブチル系粘土であるので、採光窓本体の枠体を固定するアルミニウムカバーの雨仕舞い性が長期的に良好となる。
【００３４】
本発明の請求項４記載の採光窓の雨仕舞い構造は、採光窓本体の枠体の周面にブチル系シートを敷設するとともにコーナーピースを配設することにより、ブチル系シートを簡単にしわもなく敷設することができ、雨仕舞い性が良好となるものである。
【図面の簡単な説明】
【図１】本発明の一実施例に係わる採光窓の水下側の雨仕舞い構造を示す要部の縦断面図である。
【図２】本発明の一実施例に係わる採光窓を下方から見た状態を示す要部の斜視図である。
【図３】本発明の一実施例に係わる水上側の雨仕舞い構造を示す要部の縦断面図である。
【図４】本発明の一実施例に採光窓のアルミニウムカバーの裏面図である。
【図５】本発明の一実施例に係わる水下側のブチル系シートの敷設状態を示す要部の分解した斜視図である。
【図６】本発明の一実施例に係わる水下側にコーナーピースを配設した状態を示す要部の分解した斜視図である。
【図７】本発明の一実施例に係わるコーナーピースの斜視図である。
【図８】本発明の一実施例に係わるコーナーピースへの両面ブチルテープの敷設状態を示す斜視図である。
【図９】本発明の一実施例に係わる採光窓周縁に配設するブチル系シートの敷設状態を示す要部の分解した斜視図である。
【符号の説明】
１      屋根面
２      開口部
３      木枠
４      枠体
５      内側段部
６      ガラスパネル
７      採光窓本体
８      アルミニウムカバー
９      ブチル系シート
１０    ビス
１１    外側段部
１２    固定ブロック
１３    ビス
１４    野地板
１５    溝部
１６    パッキン
１７    挿入溝
１８    レール状突起
１９    ブチル系粘土
２０    コーナー部
２４    コーナーピース
２５    両面ブチルテープ
【図１】
2004225463.tif 000003
【図２】
2004225463.tif 000004
【図３】
2004225463.tif 000005
【図４】
2004225463.tif 000006
【図５】
2004225463.tif 000007
【図６】
2004225463.tif 000008
【図７】
2004225463.tif 000009
【図８】
2004225463.tif 000010
【図９】
2004225463.tif 000011